(57)【要約】  表示装置および表示装置を制御するための方法  表示装置は、表示源と、表示源から情報を受け取るように構成されたスクリーンと、を備え、スクリーンは、表示源から受け取った情報を選択的に表示するために、複数の表示状態で動作するように構成されている。
2020521163.tif 000002
【特許請求の範囲】
【請求項１】
表示源と、前記表示源から情報を受け取るように構成されたスクリーンと、を備える表示装置において、
前記スクリーンは、前記表示源から受け取った前記情報を選択的に表示するために、複数の表示状態で動作するように構成されている、表示装置。
【請求項２】
前記スクリーンは、複数の半透明度で動作するように構成されている、請求項１記載の表示装置。
【請求項３】
前記スクリーンは、複数の電圧入力それぞれに応じて、前記複数の半透明度で動作するように構成されている、請求項２記載の表示装置。
【請求項４】
前記複数の表示状態は、少なくとも、前記スクリーンが実質的に透明である第１の状態と、前記スクリーンが少なくとも部分的に不透明である第２の状態と、を含む、請求項１記載の表示装置。
【請求項５】
前記スクリーンは、前記表示源から受け取った前記情報を表示するために、前記第２の状態において動作するように構成されている、請求項４記載の表示装置。
【請求項６】
前記スクリーンは、スマートフィルム、切替可能フィルムまたはスマートガラスを含む、請求項１記載の表示装置。
【請求項７】
前記スクリーンは、複数の高分子分散型液晶を含む、請求項６記載の表示装置。
【請求項８】
前記表示源は、前記情報を前記スクリーン上に投影するように構成されている、請求項１記載の表示装置。
【請求項９】
前記表示源は、画像プロジェクタである、請求項８記載の表示装置。
【請求項１０】
前記表示源および前記スクリーンの各々の動作を制御するように構成されたコントローラをさらに備える、請求項４記載の表示装置。
【請求項１１】
前記コントローラは、前記第２の状態への前記スクリーンの切り替えの際に、前記表示源を起動させ、前記第１の状態への前記スクリーンの切り替えの際に、前記表示源を停止させるように構成されている、請求項１０記載の表示装置。
【請求項１２】
前記コントローラは、前記コントローラによって検出された所定のイベントに応じて、前記表示源および前記スクリーンそれぞれの動作を制御するように構成されている、請求項１０記載の表示装置。
【請求項１３】
前記所定のイベントを検出するために前記コントローラと通信するように構成されたイベントモジュールをさらに備える、請求項１２記載の表示装置。
【請求項１４】
前記イベントモジュールは、タッチセンサ、モーションセンサ、近接センサ、赤外線センサ、イメージセンサ、人間の顔を認識するセンサおよびタイマのうちの少なくとも１つを含む少なくとも１つのセンサを備える、請求項１３記載の表示装置。
【請求項１５】
前記所定のイベントは、前記表示装置から所定の距離に位置する物体の検出を含む、請求項１３記載の表示装置。
【請求項１６】
前記所定のイベントは、前記スクリーンにおけるタッチイベントの検出を含む、請求項１３記載の表示装置。
【請求項１７】
前記所定のイベントは、前記イベントモジュールによって認識された人間の顔の検出を含む、請求項１３記載の表示装置。
【請求項１８】
前記スクリーンは、選択的に制御可能な複数の部分を含む、請求項１０記載の表示装置。
【請求項１９】
前記コントローラはさらに、前記選択的に制御可能な複数の部分の各々を、複数のそれぞれの制御信号でもって制御するように構成されており、前記それぞれの制御信号の各々は、複数の電圧入力を含む、請求項１８記載の表示装置。
【請求項２０】
前記選択的に制御可能な複数の部分は、前記スクリーンの複数の区画を画定する、請求項１８記載の表示装置。
【請求項２１】
前記選択的に制御可能な複数の部分は、前記スクリーン上に表示される少なくとも１つのパターンを画定する、請求項１８記載の表示装置。
【請求項２２】
前記情報は、前記スクリーン上に表示される前記少なくとも１つのパターンによって定義される、請求項２１記載の表示装置。
【請求項２３】
前記選択的に制御可能な複数の部分の各々が個別に制御されるように、前記選択的に制御可能な複数の部分は、選択的に制御可能な部分の隣接している各ペア間に画定された電気絶縁部を含む、請求項１８記載の表示装置。
【請求項２４】
前記情報および／または付加的な情報が前記スクリーン上に表示されるように、前記コントローラはさらに、前記スクリーンの前記選択的に制御可能な複数の部分を選択的に制御するように構成されている、請求項１９記載の表示装置。
【請求項２５】
前記表示源は、前記スクリーン上に選択的に表示される情報に関連付けられた電子信号を含む、請求項１８記載の表示装置。
【請求項２６】
表示装置を制御するための方法において、
−スクリーンに情報を提供するように構成された表示源を制御するステップと、
−前記表示源から受け取った前記情報を選択的に表示するために、複数の表示状態で動作するように前記スクリーンを制御するステップと、
を含む、表示装置を制御するための方法。
【請求項２７】
複数の表示状態で動作するように前記スクリーンを制御するステップは、複数の電圧入力を前記スクリーンにバイアスすることを含む、請求項２６記載の表示装置を制御するための方法。
【請求項２８】
前記複数の表示状態は、少なくとも、前記スクリーンが実質的に透明である第１の状態と、前記スクリーンが少なくとも部分的に不透明である第２の状態と、を含む、請求項２７記載の表示装置を制御するための方法。
【請求項２９】
所定のイベントを検出し、前記所定のイベントの検出に応じて前記表示源および前記スクリーンを選択的に制御するステップをさらに含む、請求項２８記載の表示装置を制御するための方法。
【請求項３０】
第１のイベントの検出に応じて、前記スクリーンを第２の状態に切り替え、前記スクリーンに情報を投影するために前記表示源を起動させるステップをさらに含む、請求項２９記載の表示装置を制御するための方法。
【請求項３１】
第２のイベントの検出に応じて、前記スクリーンを第１の状態に切り替え、前記表示源を停止させるステップをさらに含む、請求項３０記載の表示装置を制御するための方法。
【請求項３２】
前記情報および／または付加的な情報が前記スクリーン上に表示されるように、前記スクリーンの選択的に制御可能な複数の部分を選択的に制御するステップをさらに含む、請求項２６記載の表示装置を制御するための方法。
【請求項３３】
表示装置において、
−表示源と、前記表示源から情報を受け取るように構成されたスクリーンとを含むディスプレイモジュールと、
−検出された所定のイベントに応じて、前記表示源および前記スクリーンの各々の動作を制御するように構成された制御モジュールと、
−前記所定のイベントを検出するために前記制御モジュールと通信するように構成されたイベントモジュールと、を備え、
前記スクリーンは、前記表示源から受け取った前記情報を選択的に表示するために、複数の表示状態で動作するように構成されており、
前記スクリーンは、複数の半透明度で動作するように構成されており、
前記スクリーンは、複数の電圧入力それぞれに応じて、前記複数の半透明度で動作するように構成されており、
前記複数の表示状態は、少なくとも、前記スクリーンが実質的に透明である第１の状態と、前記スクリーンが少なくとも部分的に不透明である第２の状態と、を含み、
前記スクリーンは、前記表示源から受け取った前記情報を表示するために、前記第２の状態において動作するように構成されており、
前記イベントモジュールは、タッチセンサ、モーションセンサ、近接センサ、赤外線センサ、イメージセンサ、人間の顔を認識するセンサおよびタイマを含み、
前記コントローラはさらに、前記コントローラが第１のイベントを検出すると、前記表示源の起動および前記第２の状態への前記スクリーンの切り替えを行うように構成されており、
前記コントローラはさらに、前記コントローラが第２のイベントを検出すると、前記表示源の停止および前記第１の状態への前記スクリーンの切り替えを行うように構成されている、
表示装置。
【請求項３４】
前記スクリーンは、スマートフィルム、切替可能フィルムまたはスマートガラスを含み、前記表示源は、画像プロジェクタを含む、請求項３３記載の表示装置。
【請求項３５】
前記情報および／または付加的な情報が前記スクリーン上に表示されるように、前記コントローラはさらに、前記スクリーンの選択的に制御可能な複数の部分を選択的に制御するように構成されている、請求項３３記載の表示装置。
【発明の詳細な説明】
【技術分野】
【０００１】
本発明は、表示装置および表示装置を制御するための方法に関し、特に、限定ではないが、スマートフィルムのスクリーンを含む表示装置に関する。
【背景技術】
【０００２】
表示パネルなどの表示装置は、ビジュアルコンテンツをユーザに出力するために使用することができる。ビジュアルコンテンツのサイズまたは寸法は、表示パネルの寸法によって制限される。あるいは、画像投影技術は、ビジュアルコンテンツの寸法を所定の動作範囲内に調整することができるよりフレキシブルな方式で、ビジュアルコンテンツを投影するために使用することができる。
【０００３】
投影スクリーンまたは投影表面は、画像プロジェクタによって提供されるビジュアルコンテンツを描画するために使用することができる。例えば、非完全反射性で白色のスクリーンを使用することができる。スクリーンは、光線が観察者に対して反射されることなく、単純にスクリーンを通過してしまうことがないよう、透明でないことも要求される。
【発明の概要】
【０００４】
本発明の第１の態様によれば、表示源と、表示源から情報を受け取るように構成されたスクリーンと、を備える表示装置が提供され、スクリーンは、表示源から受け取った情報を選択的に表示するために、複数の表示状態で動作するように構成されている。
【０００５】
第１の態様の一実施形態では、スクリーンは、複数の半透明度で動作するように構成されている。
【０００６】
第１の態様の一実施形態では、スクリーンは、複数の電圧入力それぞれに応じて、複数の半透明度で動作するように構成されている。
【０００７】
第１の態様の一実施形態では、複数の表示状態は、少なくとも、スクリーンが実質的に透明である第１の状態と、スクリーンが少なくとも部分的に不透明である第２の状態と、を含む。
【０００８】
第１の態様の一実施形態では、スクリーンは、表示源から受け取った情報を表示するために、第２の状態において動作するように構成されている。
【０００９】
第１の態様の一実施形態では、スクリーンは、スマートフィルム、切替可能フィルムまたはスマートガラスを含む。
【００１０】
第１の態様の一実施形態では、スクリーンは、複数の高分子分散型液晶を含む。
【００１１】
第１の態様の一実施形態では、表示源は、情報をスクリーン上に投影するように構成されている。
【００１２】
第１の態様の一実施形態では、表示源は、画像プロジェクタである。
【００１３】
第１の態様の一実施形態では、表示装置は、表示源およびスクリーンそれぞれの動作を制御するように構成されたコントローラをさらに備える。
【００１４】
第１の態様の一実施形態では、コントローラは、第２の状態へのスクリーンの切り替えの際に、表示源を起動させ、第１の状態へのスクリーンの切り替えの際に、表示源を停止させるように構成されている。
【００１５】
第１の態様の一実施形態では、コントローラは、コントローラによって検出された所定のイベントに応じて、表示源およびスクリーンそれぞれの動作を制御するように構成されている。
【００１６】
第１の態様の一実施形態では、表示装置は、所定のイベントを検出するためにコントローラと通信するように構成されたイベントモジュールをさらに備える。
【００１７】
第１の態様の一実施形態では、イベントモジュールは、タッチセンサ、モーションセンサ、近接センサ、赤外線センサ、イメージセンサ、人間の顔を認識するセンサおよびタイマのうちの少なくとも１つを含む、少なくとも１つのセンサを備える。
【００１８】
第１の態様の一実施形態では、所定のイベントは、表示装置から所定の距離に位置する物体の検出を含む。
【００１９】
第１の態様の一実施形態では、所定のイベントは、スクリーンにおけるタッチイベントの検出を含む。
【００２０】
第１の態様の一実施形態では、所定のイベントは、イベントモジュールによって認識された人間の顔の検出を含む。
【００２１】
第１の態様の一実施形態では、スクリーンは、選択的に制御可能な複数の部分を含む。
【００２２】
第１の態様の一実施形態では、コントローラはさらに、選択的に制御可能な複数の部分の各々を、複数のそれぞれの制御信号でもって制御するように構成されており、それぞれの制御信号の各々は、複数の電圧入力を含む。
【００２３】
第１の態様の一実施形態では、選択的に制御可能な複数の部分は、スクリーンの複数の区画を画定する。
【００２４】
第１の態様の一実施形態では、選択的に制御可能な複数の部分は、スクリーン上に表示される少なくとも１つのパターンを画定する。
【００２５】
第１の態様の一実施形態では、情報は、スクリーン上に表示される少なくとも１つのパターンによって定義される。
【００２６】
第１の態様の一実施形態では、選択的に制御可能な複数の部分の各々が個別に制御されるように、選択的に制御可能な複数の部分は、選択的に制御可能な部分の隣接している各ペア間に画定された電気絶縁部を含む。
【００２７】
第１の態様の一実施形態では、情報および／または付加的な情報がスクリーン上に表示されるように、コントローラはさらに、スクリーンの選択的に制御可能な複数の部分を選択的に制御するように構成されている。
【００２８】
第１の態様の一実施形態では、表示源は、スクリーン上に選択的に表示される情報に関連付けられた電子信号を含む。
【００２９】
本発明の第２の態様によれば、表示装置を制御するための方法が提供され、この方法は、スクリーンに情報を提供するように構成された表示源を制御するステップと、表示源から受け取った情報を選択的に表示するために、複数の表示状態で動作するようにスクリーンを制御するステップと、を含む。
【００３０】
第２の態様の一実施形態では、複数の表示状態で動作するようにスクリーンを制御するステップは、複数の電圧入力をスクリーンにバイアスすることを含む。
【００３１】
第２の態様の一実施形態では、複数の表示状態は、少なくとも、スクリーンが実質的に透明である第１の状態と、スクリーンが少なくとも部分的に不透明である第２の状態と、を含む。
【００３２】
第２の態様の一実施形態では、本方法は、所定のイベントを検出し、所定のイベントの検出に応じて表示源およびスクリーンを選択的に制御するステップをさらに含む。
【００３３】
第２の態様の一実施形態では、本方法は、第１のイベントの検出に応答した、第２の状態へのスクリーンの切り替え、およびスクリーンに情報を投影するための表示源の起動を行うステップをさらに含む。
【００３４】
第２の態様の一実施形態では、本方法は、第２のイベントの検出に応答した、第１の状態へのスクリーンの切り替えおよび表示源の停止を行うステップをさらに含む。
【００３５】
第２の態様の一実施形態では、本方法は、情報および／または付加的な情報がスクリーン上に表示されるように、スクリーンの選択的に制御可能な複数の部分を選択的に制御するステップをさらに含む。
【００３６】
本発明の第３の態様によれば、表示装置が提供され、この表示装置は、表示源および表示源から情報を受け取るように構成されたスクリーンを含む表示モジュールと、検出された所定のイベントに応じて、表示源およびスクリーンそれぞれの動作を制御するよう構成された制御モジュールと、所定のイベントを検出するために制御モジュールと通信するように構成されたイベントモジュールと、を備え、スクリーンは、表示源から受け取った情報を選択的に表示するために、複数の表示状態で動作するように構成されており、スクリーンは、複数の半透明度で動作するように構成されており、スクリーンは、複数の電圧入力それぞれに応じて、複数の半透明度で動作するように構成されており、複数の表示状態は、少なくとも、スクリーンが実質的に透明である第１の状態と、スクリーンが少なくとも部分的に不透明である第２の状態と、を含み、スクリーンは、表示源から受け取った情報を表示するために、第２の状態において動作するように構成されており、イベントモジュールは、タッチセンサ、モーションセンサ、近接センサ、赤外線センサ、イメージセンサ、人間の顔を認識するセンサおよびタイマを含み、コントローラはさらに、コントローラが第１のイベントを検出すると、表示源の起動および第２の状態へのスクリーンの切り替えを行うように構成されており、コントローラはさらに、コントローラが第２のイベントを検出すると、表示源の停止および第１の状態へのスクリーンの切り替えを行うように構成されている。
【００３７】
第３の態様の一実施形態では、スクリーンは、スマートフィルム、切替可能フィルムまたはスマートガラスを含み、表示源は、画像プロジェクタを含む。
【００３８】
第３の態様の一実施形態では、情報および／または付加的な情報がスクリーン上に表示されるように、コントローラはさらに、スクリーンの選択的に制御可能な複数の部分を選択的に制御するように構成されている。
【００３９】
以下では、例示を目的として、添付の図面を参照しながら本発明の実施形態を説明する。
【図面の簡単な説明】
【００４０】
【図１】表示源およびセンサがスクリーンの後ろに配置されている、本発明の一実施形態による表示装置の正面図である。
【図２】スクリーンが透明なモードで動作しており、接近する物体がセンサによって検出される、図１の表示装置の正面図である。
【図３】スクリーンが透明でないモードで動作しており、かつスクリーン上にビジュアル情報を表示するために画像プロジェクタが起動されている、図２の表示装置の正面図である。
【図４】図１の表示装置のブロック図である。
【図５】選択的に制御可能な複数の部分がスクリーンに設けられている、本発明の一実施形態による表示装置の正面図である。
【図６】選択的に制御可能な複数の部分がスクリーンに設けられている、本発明の一実施形態による表示装置の正面図である。
【図７】選択的に制御可能な複数の部分がスクリーンに設けられている、本発明の一実施形態による表示装置の正面図である。
【図８Ａ】スクリーンにネガ画像が表示されている、本発明の一実施形態による表示装置の斜視図である。
【図８Ｂ】スクリーンにネガ画像が表示されている、本発明の一実施形態による表示装置の斜視図である。
【図８Ｃ】スクリーンにネガ画像が表示されている、本発明の一実施形態による表示装置の斜視図である。
【図８Ｄ】スクリーンにネガ画像が表示されている、本発明の一実施形態による表示装置の斜視図である。
【図８Ｅ】スクリーンにポジ画像が表示されている、図８Ａの表示装置の斜視図である。
【図９】スクリーンにネガ画像が表示されている、本発明の一実施形態による表示装置の正面図である。
【発明を実施するための形態】
【００４１】
図１から図３を参照すると、表示源１０２と、表示源１０２から情報を受け取るように構成されたスクリーン１０４と、を備えた表示装置１００の例示的な実施形態が提供されている。スクリーン１０４は、表示源１０２から受け取った情報を選択的に表示するために、複数の表示状態で動作するように構成されている。
【００４２】
この実施形態では、表示装置１００は、画像、テキストおよび／またはビデオクリップなどの情報を含む光学信号を出力するために使用することができる画像プロジェクタ１０２などの画像投影源を含む。投影された画像を描画するためにスクリーン１０４も含まれており、これによって、画像プロジェクタ１０２によって提供される画像または情報を観察者に視覚化することができる。
【００４３】
好適には、スクリーン１０４は、複数の電圧入力などの電気制御信号に応じて、複数の半透明度で動作するように構成されている。例えば、スクリーン１０４はスマートフィルムを含むことができ、この場合、フィルムの両側の表面間に電圧バイアスを印加することによって、スマートフィルムの半透明度を電気的に調整または制御することができる。
【００４４】
１つの例示的な実施形態では、スクリーン１０４またはスマートフィルムは、複数の高分子分散型液晶（ＰＤＬＣ）を含む。電圧源によって生成された電界の影響下で、光線が散乱または拡散せずに通過できるようにＰＤＬＣを整列することができるか、または異なる電圧バイアスの印加に応じて、スクリーン１０４またはフィルムが部分的に透明になることができるように、散乱効果を低減することができる。
【００４５】
あるいは、スクリーン１０４は、光を散乱させるためにフィルム内に複数のマイクロ切替可能素子を備えることができる切替可能フィルム、合わせガラス、または内部にスマートフィルムが組み込まれているスマートガラスもしくは中空ガラスを含むことができる。
【００４６】
スクリーン１０４が実質的に透明である第１の状態を好適に含む少なくとも２つの状態で動作するように、スクリーン１０４を制御することができる。図１および図２を参照すると、店の窓には、スクリーン１０４またはスマートフィルムが組み込まれている。スクリーン１０４は、透明な状態で動作しており、このため、窓およびスクリーンの後ろの店内に配置されている物体１０６は、店の前を通り過ぎる観察者に対して可視である。窓およびスクリーン１０４の後ろの店内には表示源１０２も配置されており、このため、この表示源１０２も観察者に対して可視である。
【００４７】
図３を参照すると、スクリーン１０４は、このスクリーン１０４が光学スペクトルの可視範囲においては少なくとも部分的に不透明であり、つまり透明でなく、それによって表示源１０２から受け取った情報をスクリーン１０４上に表示することができる第２の状態で動作するように制御することができる。スクリーン１０４の表示状態を変更するために、異なる電圧バイアスをスマートフィルムに印加することができる。好適には、スクリーン１０４は、画像プロジェクタから受信した光学信号をスクリーン１０４またはスマートフィルムに描画することができ、かつ情報が観察者にとって十分に明瞭であるべき半透明度レベルで動作することができる。それと同時に、スクリーン１０４を別の側から見ると、スクリーン１０４またはスマートフィルムの後ろにある物体１０６は遮蔽されるか、またはぼかされる。
【００４８】
あるいは、スマートフィルム１０４は、種々の要求に従い複数の半透明度レベルで動作することができ、例えば、画像投影と、スクリーン１０４の後ろにある物体１０６とを組み合わせたビジョンを、スクリーン１０４または窓の前にいる観察者に対して示すことができる。例えば、１つの透明な状態および半透明度レベルが異なる４つの透明でない状態で動作するように、スマートフィルム１０４には、０Ｖ、９Ｖ、１８Ｖ、２７Ｖおよび３６Ｖの電圧をバイアスすることができる。
【００４９】
表示装置１００は、スクリーン１０４および画像プロジェクタ１０２の動作に関連付けられた能動的な機能および／またはインタラクティブな機能を提供するために、センサ１０８またはタイマを含むこともできるか、またはセンサ１０８またはタイマと協働することもできる。
【００５０】
図４を参照すると、表示装置１００は、表示源１０２およびスクリーン１０４を含む表示装置１００の個々のコンポーネント各々の動作を制御するように構成されたコントローラ１１０をさらに備えることができる。図３を参照する１つの例示的な動作では、コントローラ１１０は、スクリーン１０４の第２の状態への切り替え、つまり透明でない状態への切り替えの際に、表示源１０２を起動させることができ、それによって、画像または情報をスクリーン１０４上に表示することができる。別の例示的な動作では、コントローラ１１０は、第１の状態へのスクリーン１０４の切り替えの際に、表示源１０２を停止させることができ、このため、表示源１０２または画像プロジェクタ１０２によって提供された情報を供給し終えると直ぐに、図１または図２に示したように、スクリーン１０４の後ろに展示されてる物体１０６をユーザに対して可視にすることができる。スマートフィルム１０４に異なる電圧バイアス信号を供給するように、コントローラ１１０を構成することができる。
【００５１】
好適には、表示装置１００は、所定のイベントまたはプログラムに従い動作することもできる。例えば、スクリーン１０４に３０秒の長さのビデオクリップを５分毎に繰り返し投影するように表示源１０２をプログラミングすることができ、コントローラ１１０は、第１の状態から第２の状態に切り替わるようにスクリーン１０４を制御することができ、続いてコントローラ１１０は、メディアプレーヤ１１２を始動させてスクリーン１０４にビデオクリップを投影するために画像プロジェクタ１０２を起動させることができる。３０秒の再生時間が経過すると、コントローラは、メディアプレーヤ１１２および画像プロジェクタ１０２を停止させることができるか、またはメディアプレーヤ１１２および／またはプロジェクタ１０２をスリープモード／サスペンドモードに移行させることができ、続いてスクリーン１０４を第２の状態から再び第１の状態に切り替えることができる。５分の期間が経過すると、コントローラ１１０は、上記のルーチンを改めて再始動することができる。このため、表示装置１００は、人間による介入を最小限にとどめて無人操作を実行することができる。
【００５２】
表示装置１００は、接近する物体または上述の時間間隔の検出などの所定のイベントを検出するために、コントローラ１１０と通信するように構成されたイベントモジュール１１４をさらに含むことができる。このため、コントローラ１１０は、コントローラ１１０によって検出された所定のイベントに応じて、表示源１０２およびスクリーン１０４各々の動作を制御することができる。
【００５３】
例えば、所定のイベントは、表示装置１００から所定の距離に位置する物体の検出、スクリーン１０４におけるタッチイベントの検出、および／またはイベントモジュールによって認識された人間の顔の検出を含むことができる。これらのイベントは、限定ではないがタッチセンサ、モーションセンサ、近接センサ、赤外線センサ、イメージセンサ、人間の顔を認識するセンサおよびタイマなどの、イベントモジュールの１つ以上のセンサ１０８によって検出することができる。
【００５４】
図２および図３を再び参照すると、イベントモジュール１１４は、図２における２人の歩行者１１６などの１つ以上の物体の接近を検出するためにスクリーン１０４の後ろに配置することができる、顔検出センサ、ＩＲセンサ、近接センサなどのセンサ１０８を含む。歩行者１１６の検出に応じて、コントローラ１１０は、透明な状態から透明でない状態にスクリーン１０４を切り替え、続いて、図３に示したように、スクリーン１０４上に情報を表示するために画像プロジェクタ１０２およびメディアプレーヤ１１２を起動させることができる。センサ１０８は、ビデオ再生ルーチンが終了する前に、２人の歩行者１１６がその場を離れた場合には、コントローラ１１０が表示装置１００をリセットできるように、歩行者１１６または窓もしくはスクリーン１０４の観察者の位置を検出し続けることができる。
【００５５】
任意選択的にまたは付加的に、スクリーン１０４は、スクリーン１０４における１つ以上のタッチイベントを検出するタッチモジュールまたはタッチパネルを含むこともできる。これによって、スクリーン１０４のインタラクティブ機能をさらに提供することができる。例えば、タッチイベントがイベントモジュール１１４およびコントローラ１１０によって検出されると、スクリーン１０４の表示状態または半透明度を、ビデオ再生期間中に一時的に変更することができる。
【００５６】
図５から図７を参照すると、表示装置５００の代替的な実施形態が示されている。この例示的な実施形態では、スクリーン５０４は、選択的に制御可能な複数の部分５０４Ａ，５０４Ｂを含み、さらにコントローラは、選択的に制御可能な複数の部分の各々を、複数のそれぞれの制御信号でもって制御するように構成されており、それぞれの制御信号の各々は、複数の電圧入力を含む。
【００５７】
この例では、スクリーンの異なる部分または区画を個別に制御することができ、このため、個々の区画を異なる表示状態に、すなわち透明な状態および不透明な状態に選択的に切り替えるために異なる電圧入力を供給することによって、異なるパターンをスマートフィルム５００上に表示することができる。
【００５８】
スマートフィルム５０４上に画像またはビデオ信号を投影するために画像プロジェクタを設ける代わりに、表示源を、スクリーン上に表示されるべき情報に関連付けられた電子信号の形態で提供することができる。代替的にまたは任意選択的に、動的に制御可能なスマートフィルムスクリーン５００および画像プロジェクタ１０２の両方を表示装置１００／５００に含ませることができ、これによって、画像プロジェクタ１０２から動的なスマートフィルム５００上に投影される情報、ならびに動的なスマートフィルム５００上で定義される付加的な情報を表示することができ、さらには表示装置１００／５００の多様性を向上させることができる。
【００５９】
図６を参照すると、表示される情報は、天候および現在時刻を含むことができ、これらの情報を、透明な背景５０４Ｂとは対照的な不透明なパターン５０４Ａとして表示することができる。天候は、例えばコントローラの通信モジュールを使用してオンライン気象サービスにアクセスすることによって、コントローラが受信した気象情報に基づいて、「天候晴れ」を示すことができる太陽のアイコンによって表すことができる。さらに、図７も参照すると、右上隅に画定された複数の「７セグメント」表示部分を使用して、現在時刻を表示することができる。時刻は、コントローラのシステムクロックに即して、またはコントローラもしくは表示装置に関連付けられた外部の時刻サービスに即して、リアルタイムで更新することができる。
【００６０】
好適には、選択的に制御可能な複数の部分は、選択的に制御可能な部分の隣接している各ペア間に画定された電気絶縁部を含み、それによって、選択的に制御可能な複数の部分の各々は、情報および／または付加的な情報がスクリーン上に表示されるように、コントローラによって個別に制御される。例えば、スマートフィルムには、フィルムの一方の側における１つの共通のアノードと、隣接している各部分間のエッチングされた離隔部によって離隔された、複数のパターニングされたカソードを設けることができる（アノードとカソードを逆にしてもよい）。各カソードパターン／区画は、コントローラの別個の出力ピンに接続されており、それによって、個々のカソードパターンと共通のアノードとの間に挟まれたＰＤＬＣ材料が、個別にスイッチオン／スイッチオフされることになる。
【００６１】
図８Ａから図８Ｅを参照すると、２つのウィンドウパネル上に提供される、表示装置８００の別の実施形態が示されている。この例では、スクリーンは、左側および右側の別個の区画として離隔されている。さらに、各区画内において、別個に制御可能なパターンがそれらの区画上で画定されている。
【００６２】
図８Ａから図８Ｄおよび図９を参照すると、これらの例示的な動作では、不透明な背景８０４Ａ／９０４Ａを維持することによって、「ネガ」パターンをスクリーン上に表示することができ、またスマートフィルムの１つ以上の部分８０４Ｂ／９０４Ｂが透明な状態に選択的に切り替えられることによって、テキストおよびロゴなどの情報をウィンドウパネル上に表示することができる。
【００６３】
図８Ｅを参照すると、代替的に、「ポジ」パターンを表示することができる。この例では、スクリーンが透明な背景８０４Ｂ／９０４Ｂで動作するように切り替えられ、またスマートフィルムの１つ以上の部分８０４Ａ／９０４Ａが不透明な状態に選択的に切り替えられることによって、テキストおよびロゴなどの情報をウィンドウパネル上に表示することができる。
【００６４】
これらの実施形態は、表示装置が、表示源からの画像投影またはスクリーンの後ろに配置された物体を選択的に示し、それによってユーザにインタラクティブな情報を供給するように、自動的かつインタラクティブに動作することができるという点で有利であり得ると考えられる。この装置を店の窓に使用して、潜在的な顧客に、コンテンツがより豊富な広告を提供することができる。
【００６５】
有利には、表示装置は、コントローラおよびセンサモジュールを含み、それによって、画像プロジェクタおよびスクリーンまたはスマートフィルムを含む種々のコンポーネントの動作状態の変更に関して、人間による介入の要求されるレベルが最小になる。
【００６６】
広義で説明した本発明の思想または範囲から逸脱することなく、特定の実施形態において示したような本発明に対して、多数の変更および／または修正を行えることは当業者には明らかであろう。このため、本実施形態は、あらゆる点において例示的なものであるとみなされるべきであって、制限的なものであるとみなされるべきではない。
【００６７】
本明細書に含まれる従来技術についてのいずれの参照も、特に明記しない限りは、情報が一般常識であるという容認として解釈されるべきではない。
【図１】
2020521163.tif 000003
【図２】
2020521163.tif 000004
【図３】
2020521163.tif 000005
【図４】
2020521163.tif 000006
【図５】
2020521163.tif 000007
【図６】
2020521163.tif 000008
【図７】
2020521163.tif 000009
【図８Ａ】
2020521163.tif 000010
【図８Ｂ】
2020521163.tif 000011
【図８Ｃ】
2020521163.tif 000012
【図８Ｄ】
2020521163.tif 000013
【図８Ｅ】
2020521163.tif 000014
【図９】
2020521163.tif 000015
【国際調査報告】
2020521163.tif 000016
2020521163.tif 000017